(57)【要約】      （修正有）【課題】より軽量でしかも組み立てと分解を簡単に行うことが可能な持ち運び可能な折り畳み式軽量ドラムを提供する。【解決手段】軽量なプラスチック段ボールを円筒状に加工処理したシェル１１と、ドラムヘッド１２ａと、複数の穴が形成された上下一組のフープ１３ａ、１３ｂを備える。上側のフープの穴に挿通させた８の字金具１６の小さい方の輪と、下側のフープの穴１５ｂに、テンションロープ１４を通した後で、テンションロープを下側のフープ１３ｂを少なくとも一周させて固定する。そして、上側のフープの穴を挿通しない方の８の字金具の輪を外力により回転させてテンションロープに張力を与え、ドラムヘッド、フープ及びシェルを結合する。【選択図】図１
2020177099.tif 000002
【特許請求の範囲】
【請求項１】
プラスチック段ボールを円筒状に加工処理したシェルと、
前記シェルの少なくとも一方の開口に取り付けられるドラムヘッドと、
前記シェルを円筒状に保持し、前記シェルを押圧する際に、前記シェルの円周に沿ってほぼ均一に強度を与える補強金具と、
前記ドラムヘッドを前記シェルに押圧する上下２つのフープと、
前記上下２つのフープを結合するテンションロープと、
前記テンションロープを挿通させた状態で、前記複数のフープの穴の位置に配置される複数の８の字金具と、を備え、
前記８の字金具は、前記フープの穴を通過させる小さい輪と、前記フープの穴を通過させない大きい輪を有し、前記８の字金具の大きい輪を外力により回転させて前記テンションロープにねじれを生じさせた状態に保持して張力を与え、前記テンションロープに与えた張力により、前記ドラムヘッド、前記フープ及び前記シェルを結合することを特徴とする折り畳み式軽量ドラム。
【請求項２】
前記上下２つのフープ間の前記テンションロープには、チューブが挿入されており、前記８の字金具により前記テンションロープがねじられた状態で、前記テンションロープが逆回転しないように、上側の前記フープの金属部と前記８の字金具の隙間を前記チューブで埋めて前記テンションロープを固定することを特徴とする
請求項１に記載の折り畳み式軽量ドラム。
【請求項３】
バスドラム、フロアタム、スネアドラム、トムトム、シンバルを含む折り畳み可能軽量ドラムセットであって、
前記ドラムセットを構成する複数ドラムのうちの各ドラムは、
プラスチック段ボールを円筒状に加工処理したシェルと、
前記シェルの少なくとも一方の開口に取り付けられるドラムヘッドと、
前記シェルを円筒状に保持し、前記シェルを押圧する際に、前記シェルの円周に沿ってほぼ均一に強度を与える補強金具と、
前記ドラムヘッドを前記シェルに押圧する上下２つのフープと、
前記上下２つのフープを結合するテンションロープと、
前記テンションロープを挿通させた状態で、前記複数のフープの穴の位置に配置される複数の８の字金具と、を備え、
前記８の字金具は、前記フープの穴を通過させる小さい輪と、前記フープの穴を通過させない大きい輪を有し、前記８の字金具の大きい輪を外力により回転させて前記テンションロープにねじれを生じさせた状態に保持して張力を与え、前記テンションロープに与えた張力により、前記ドラムヘッド、前記フープ及び前記シェルを結合することを特徴とする折り畳み式軽量ドラムであり、
前記複数の折り畳み式軽量ドラムの前記シェル、前記ドラムヘッド、前記補強金具及び前記上下のフープは、分解して少なくとも２つのケースに個別に収納され、人手で運搬可能とした折り畳み式軽量ドラムセット。
【発明の詳細な説明】
【技術分野】
【０００１】
本発明は、軽くて持ち運びがし易い折り畳み式軽量ドラム及び持ち運び可能な折り畳み式軽量ドラムセットに関する。
【背景技術】
【０００２】
ジャズやポップス等の音楽の演奏には、大きさの異なる複数のドラムを揃える必要がある。これらの複数のドラムは、一般的にドラムセットと言われ、その構成としては、バスドラム、フロアタム、スネアドラム、トムトムと言われる複数のドラムと、ドラム以外のシンバル、スタンド等が含まれる。
【０００３】
バスドラムは、ベースドラムともいわれ、ペダルを踏んで演奏される大太鼓に当たる大きなドラムである。フロアタムは、一般に演奏者の右側の床に直接配置される中型のドラムであり、スネアドラムは、サイドドラムとも呼ばれる演奏者の目の前の膝の高さ付近に設置されるドラムである。またトムトムは、一般的には「タム」と呼ばれ、通常バスドラムの上に配置されて用いられるドラムである。  
【０００４】
このように、ドラムセットは大きさの異なる複数のドラムを含み、非常に嵩張ることから、ギターなどの他の楽器と比べると、人間が一人でこれらのドラムセット全てを人力で持ち運びすることは、不可能である。また、一個のドラムをとっても、ドラムの円筒部分を構成する部材であるシェルは、スネアドラム以外には、木材が用いられ、スネアドラムとしては木材または金属製のものが用いられる。いずれのドラムも、そのシェルは金属や木材で形成されており、その材質の重量が軽量化の障害になっている。
【０００５】
そこで、発明者は、プラスチック段ボール（いわゆる「プラダン」）を円筒状に加工したシェルの少なくとも一方の開口に打面を構成するドラムヘッドを取り付けることで、木材や金属で作成したドラムに比較して軽量かつ折り畳み可能なドラムを発明した（特許文献１を参照）。
【０００６】
図９は、特許文献１に記載の折り畳み可能軽量ドラムの全体像を示す斜視図である。図９に示すように、特許文献１に記載の折り畳み可能軽量ドラム５０は、円筒状のシェル５１と、ドラムヘッド５２と、フープ（リム）５３と、テンションボルト５４と、ボルト受け金具（舟形のラグ）５５を備えている。ドラムヘッド５２は、シェル５１の両端ないし片側の開口部に取り付ける振動膜であり、フープ５３によってシェル５１の端部に押し付けられて張力が与えられる。なお、ドラムヘッド５２に与える張力は、テンションボルト５４と舟形のラグ５５からなるテンション付与装置によって与えられていた。
【０００７】
なお、ドラムの種類によっては、シェル５１の一方の開口部には、ドラムヘッド５２（振動膜）が設けられないで、開口部が形成された状態のままにされるか、あるいは穴を空けた振動膜を用いる場合がある。特にスネアドラムでは、片側に設けられたドラムヘッド５２への衝撃を振動音に変換する不図示のスナッピー(響き線)が設けられる。このスナッピーの振動でドラムヘッド５２の反対側の面に振動音が伝わり、この振動でスナッピーが鳴って音を出すという仕組みになっている。なお、この裏側の面に設けられる不図示のスナッピーの特性によって音の善し悪しに変化が出てくることもある。
【０００８】
この特許文献１に記載の折り畳み可能軽量ドラムでは、テンション付与装置によりドラムヘッド５２をシェル５１に押圧する際のシェル５１の損傷を防ぐために補強リングを用いた。そして、補強リングとシェル５１の間に結合手段を介在させて補強リングとシェル５１の結合を行っていた。また、シェルサイズが異なる複数のドラム５０に対しては、それぞれのドラム５０毎に長さの異なるテンションボルト５４とボルト受け金具５５を用意する必要があった。
【先行技術文献】
【特許文献】
【０００９】
【特許文献１】特開２０１８−１７８４２号公報
【発明の概要】
【発明が解決しようとする課題】
【００１０】
確かに、特許文献１に記載の折り畳み可能軽量ドラム及びドラムセットは、従来のものに比べて軽いこと、そして折り畳み可能にして人力で持ち運びができるようにした点では、運搬用の自動車等を持たないユーザにとって大きなメリットがあった。また、見た目もよく、音が良い点でも、ドラムのユーザから良い評価を得ていた。
【００１１】
しかしながら、上述した良い評価のある反面で、ユーザから幾つかの改善要求も出されていた。例えば、ドラムの組み立てと分解（ばらし）をより簡単にして欲しいといった要望である。特許文献１に記載の複数のドラムから構成されるドラムヘッドになると、約５０のテンションボルトの操作が必要になり、しかもそれぞれのドラムに対して長さの異なるテンションボルトと舟形のラグが必要とされるため、その組み立てや分解に時間がかかるという問題である。
【００１２】
特にライブの後の撤収時には迅速性が要求されるので、分解を速く、しかも簡単にできるようにして欲しいという要望が強い。また、組み立て時にはチューニングが必要になるので、少しでも速くかつ簡単に再現できるようにしたいという要望もユーザから出されている。さらに、スタンドやシンバルの購入が必要になることもあって、コスト面でも安くして欲しいといった要望も出ていた。
【００１３】
特許文献１に記載の軽量ドラム及びドラムセットは、シンバルやスタンド等を含むフルセットにすると、軽量になったとはいえ、電車に乗って人力で運ぶには重量がまだ大きいという問題があった。特に、最も重量の大きいドラムに対しては、今以上に軽くして欲しいという要望が強かった。ドラムの重量の多くを占めるのは、ラグやテンションボルトなどの金属パーツである。また、この金属パーツが多くなることで、チューニング箇所も多くなり、組み立てや分解（ばらし）に時間がかかるという問題がある。
そこで、発明者はこれらの金属パーツをなくすか、極力少なくすることを時間をかけて考察した。その結果、テンションボルトとラグを使うことなく、速い組み立てと分解（ばらし）が可能な、新たなチューニング機構を含む折り畳み式軽量ドラムの発明に至った。
【００１４】
すなわち、発明者は、特許文献１に記載の軽量ドラムで使われていた、全体重量の約２割を占める金属パーツであるラグとテンションボルトを使用せずに、代わりに強度のあるナイロン（登録商標）製のロープを使って、持ち運び可能な折り畳み軽量ドラム及びそのドラムセットの製作を行った。もちろん、ドラムのシェルとして利用する材料は、木材や金属に比べて格段に軽量なプラダンを用いることとした。
【００１５】
したがって、本発明の目的は、ドラムのシェルとしての使用に耐えうる強度を有するプラスチック段ボール（プラダン）を利用し、より軽量でしかも組み立てと分解を簡単に行うことが可能な、持ち運び可能な折り畳み式軽量ドラム及び折り畳み式軽量ドラムセットを提供することにある。
【課題を解決するための手段】
【００１６】
上記課題を解決するため、本発明の折り畳み式軽量ドラムは、プラスチック段ボールを円筒状に加工処理したシェルと、このシェルの少なくとも一方の開口に取り付けられるドラムヘッドと、円筒状に加工処理したシェルを押圧する際に、シェルの円周に沿ってほぼ均一に強度を与える補強金具と、ドラムヘッドをシェルに押圧する上下２つのフープと、上下２つのフープを結合するテンションロープと、テンションロープを挿通させた状態で、複数のフープの穴の位置に配置される複数の８の字金具と、を備える。
【００１７】
そして、８の字金具は、フープの穴を通過させる小さい輪と、フープの穴を通過させない大きい輪を有し、８の字金具の大きい輪を外力により回転させてテンションロープにねじれを生じさせた状態に保持して張力を与え、テンションロープに与えた張力により、ドラムヘッド、フープ及びシェルを結合することを特徴とする。
【００１８】
さらに、上下２つのフープ間のテンションロープには、チューブが挿入されており、８の字金具によりテンションロープがねじられた状態で、テンションロープが逆回転しないように、上側のドラムヘッドの金属部と８の字金具の隙間をチューブで埋めてテンションロープを固定することが好ましい。
【発明の効果】
【００１９】
本発明によれば、従来のドラムの組み立てに必要な主要金属パーツ群であるラグとボルトを使用せず、極めて軽量でかつ組み立てと分解（バラシ）を簡単に行うことができる。
【図面の簡単な説明】
【００２０】
【図１】本発明の実施の形態例の折り畳み式軽量ドラムの全体像を示す斜視図である。
【図２】本発明の実施の形態例の折り畳み式軽量ドラムの構成部材を展開して示した図である。
【図３】本発明の実施の形態例の折り畳み式軽量ドラムを組み立てるときの概略の手順（その１）を示す図である。
【図４】本発明の実施の形態例の折り畳み式軽量ドラムを組み立てるときの概略の手順（その２）を示す図である。
【図５】本発明の実施の形態例の折り畳み式軽量ドラムを組み立てるときの概略の手順（その３）を示す図である。
【図６】本発明の実施の形態例の折り畳み式軽量ドラムの変形例を示す側断面図である。
【図７】本発明の実施の形態例のドラムセットを折り畳んで、二つのケースに収納する様子を示すときの図である。
【図８】本発明の実施の形態例のドラムセットを２つのケースに入れて人が運ぶ様子を示す図である。
【図９】既に発明者が提案した従来の折り畳み式軽量ドラムの全体像を示す斜視図である。
【発明を実施するための形態】
【００２１】
以下、本発明を実施するための実施形態の例に係る折り畳み式軽量ドラムについて、図１から図８を参照して説明する。なお、各図面において、同一の機能または構成を有する構成要素については同一符号を付し、重複する説明は省略する。
【００２２】
＜本発明の第１の実施の形態例の全体構成の概要＞
図１は、本発明の実施の形態例（以下、「本例」という）の折り畳み式軽量ドラムの組み立て後の全体構成を示す斜視図である。
【００２３】
図１に示すように、本例の折り畳み式軽量ドラム１０は、従来型ドラムの形状と同様に、円筒状のシェル１１と、ドラムヘッド１２と、フープ（リム）１３ａ、１３ｂと、テンションロープ１４から構成される。
ドラムヘッド１２は、シェル１１の両側または片側の開口部に取り付ける振動膜であり、上下のフープ１３ａ、１３ｂにテンションロープ１４を用いて張力を加えることによって、シェル１１の端部に押し付けられる。
【００２４】
上側フープ１３ａと下側フープ１３ｂは、ドラムの種類（径が異なる）に応じて複数種類の径のものが市販されている。上側フープ１３ａと下側フープ１３ｂは、通常ステンレス製の金属で形成されており、図９で示したテンションボルト５４を挿入するための穴１５が、テンションボルト５４の数だけ開けられている。なお、後述するように、ドラム１０を人力で運搬するため、上下のフープ１３ａ、１３ｂとシェル１１を分離する場合が多くなるが、分離したときに、次の組み立てのために、上側フープ１３ａと下側フープ１３ｂから後述するテンションロープ１４が外れないようにする必要がある。
【００２５】
なお、詳細は後述するが、本例において上下のフープ１３ａ、１３ｂによってシェル１１を押圧する力は、１本のテンションロープ１４をねじることによって与えられる。このため、上側フープ１３ａと下側フープ１３ｂの２つが必要であるが、これらを総称して説明する場合には、単にフープ１３ということにする。
【００２６】
＜シェルの構造と材質＞
シェル１１は、両側から上下のフープ１３ａ、１３ｂで押圧されるため、押圧される強度以上の耐性を持たせる必要がある。このため、軽い中空材料でしかも十分な剛性を持っているプラスチック段ボール（以下、「プラダン」という）を用いてシェル１１を作製している。これは特許文献１に記載されているものと変わらない。
また、プラダンは、比較的安価で入手することが可能であり、また加工性が容易な素材であるため、シェル１１として有効な素材である。本例の折り畳み式軽量ドラム１０では、ポリプロピレン製のプラダンを用いている。しかし、本例ではポリプロピレン製のプラダンに限定されない。ポリカーボネート製のプラダン（ポリカプラダン）などのその他のプラダンを用いてもよい。
【００２７】
プラダンは、多くの中空のリブを一方向に平行に備えている市販の素材であり、その強度に関して大きな異方性を持つ。つまり、中空のリブ方向の強度は強く、リブに垂直方向の強度は弱い。このため、シェル１１の材料強度の高くなる方向のエッジをドラムヘッド１２と垂直になるように配置する。
一方、ドラム１０を形成するためには、シェル１１を円筒形状に構成する必要があるから、曲げ加工が重要になる。プラダンは、中空のリブが連なって構成されているため、リブに沿って片側のみにカット加工を施すか、もしくはポリプロピレンのようなやわらかい素材であれば、中空部分をなぞって罫線を入れることにより、極めて簡単に曲げ加工を行うことができる。
【００２８】
この曲げ加工のためにカットする側は、ドラムの内側であり、外側は平らな滑らかな形状になるようにする。このため、プラダンのリブを一定の割合、例えば、５個のリブに対して１つのリブをカットする。このカットする割合は、作製するドラム１０の直径に依存する。すなわち、作製するドラム１０の直径が大きければ、カットするリブの割合を少なくし、ドラム１０の直径が小さければカットするリブの数の割合を多くする。
【００２９】
図９に示したように、特許文献１に記載される折り畳み式軽量ドラムでは、テンションボルト５４と舟形のラグ５５からなるテンション付与装置によって上下のフープ５３とシェル５１を固定していた。今回、発明者は、ナイロン（登録商標）製のロープが軽量であること、そしてテンションの与え方自体も従来のものと比べて簡単であることに注目し、テンションボルト５４と舟形のラグ５５に代えて、テンションロープ１４を用いることにした。テンションロープ１４の材質はナイロン製のものが好ましいが、他の材質のロープを利用することも可能である。
【００３０】
＜本例の折り畳み式軽量ドラムの構成部品＞
図２は、本例の折り畳み式軽量ドラムの組み立て前の部品構成を展開して示した図である。
図２に示すように、本例の折り畳み式軽量ドラムを構成する部品は、プラダンで円筒形状に形成されたシェル１１、上側ドラムヘッド１２ａ、下側ドラムヘッド１２ｂ、上側フープ１３ａ、下側フープ１３ｂ、テンションロープ１４、上側補強金具１７ａ、下側補強金具１７ｂを備える。なお、ドラム１０の種類によっては、下側ドラムヘッド１２ｂを設けない場合もある。
【００３１】
また、後述するように、テンションロープ１４が通る輪を有する８の字金具１６及びワッシャー１９と、同じくテンションロープ１４が通るチューブ２１が用意される。現在試作品として用いているチューブ２１の寸法は、外径１２mm、内径６mmである。このように、本例に用いられるチューブ２１は、比較的肉厚のチューブが望ましいるが、もちろん、これに限定されるものではない。
さらに、本例のドラム１０を組み立てる場合に、テンションロープ１４に張力を与えるためのＳ字状のフック（Ｓ字フック）２０が用意される。
【００３２】
なお、シェル１１には、空気の出入りを行うためのエアホール１８が設けられている。このエアホール１８は、上側と下側の両方にドラムヘッド１２を設ける場合、つまり上側ドラムヘッド１２ａと下側ドラムヘッド１２ｂを設ける場合に必要とされる。
すなわち、ドラムヘッド１２ａ、１２ｂがシェル１１の上下両側に設けられるドラム１０では、上側ドラムヘッド１２ａを叩くと、それによって振動するドラム１０の内部の空気が反対側の下側ドラムヘッド１２ｂに当たり、跳ね返ってくる。最悪の場合には、この跳ね返りの衝撃でドラム１０の演奏家の手足に障害を与えてしまうことがある。このため、シェル１１を完成させる前に、プラダンのリブにエアホール１８を設けて、空気が抜けるようにしている。なお、エアホール１８には、その穴開け個所の見栄えを良くする意味で、通常ハトメが使用されている。
【００３３】
＜折り畳み式軽量ドラムの組み立て方法＞
次に、図２の展開図及び図３〜図５の組み立て手順を参照して、ドラム１０を完成させるまでの手順について説明する。
【００３４】
［シェル１１の組み立て方法］
最初に、シェル１１を作製するために、代表的なプラダンであるポリプロピレン製のプラダンを用意する。ポリプロピレン製のプラダンは、例えば１８２０ｍｍ×９１０ｍｍの板状に形成されて市販されているものである。
【００３５】
次に、用意したプラダンをシェル１１として加工する前に、まず、シェル１１として必要となる長さに切断する。この長さはドラム１０の種類によって異なる。このとき、シェル１１の上面と下面の両方に補強金具１７ａ、１７ｂを設ける必要があるため、シェル１１の長さの調整の際には、補強金具１７の厚みも考慮する必要がある。
【００３６】
また、プラダンの強度が強いリブ方向と垂直にシェル１１を切断する必要があるが、このとき切断面が斜めにならないよう特に気を付けなければならない。なぜなら、切断面が斜めになると、シェル１１が完成した状態で上下のフープ１３ａ、１３ｂにテンションをかけた場合に、シェル１１が変形してしまう恐れがあるからである。
【００３７】
なお、シェル１１を形成する場合には、プラダンの折り曲げる箇所となる部分の内側に、リブに沿って平行に切り込みを入れるようにする。続いて、板状のシェル１１を円筒状にしてその両端部を接着固定する。この接着固定には、接続強度を高めるため、溶剤やポリプロピレン対応の特殊な接着剤を使用することが好ましい。また、接着部には、目隠しテープを外側のみ貼り付けるようにしてもよい。この溶剤や特殊な接着剤による接着固定は重要である。全面にかつ強固に接着固定がなされていないと、シェル１１に上側フープ１３ａと下側フープ１３ｂにより圧力をかけたときにシェル１１がゆがんでしまう可能性があるからである。
【００３８】
［折り畳み式軽量ドラムの組み立て手順］
円筒形のシェル１１が完成したら、このシェル１１にドラムヘッド１２ａ、１２ｂを取り付けることになる。以下、図２〜図５図を参照して、本例の折り畳み式軽量ドラムを組み立てるまでの手順について説明する。
【００３９】
従来から用いられている市販品であるフープ１３には、図９に示すテンションボルト５４を挿入する穴１５が空いている。まず、図２に示すように、下側フープ１３ｂの穴１５ｂに、１本の長いテンションロープ１４の一端を通した後、テンションロープ１４にチューブ２１を通す。そして、テンションロープ１４を上側フープ１３ａの穴１５ａに通し、さらにワッシャー１９を通してから、テンションロープ１４にテンションをかけるために必要な８の字金具１６の穴を通す。なお、８の字金具１６は、テンションロープ１４を通すための穴を持つ径が小さい輪１６ａと外力をかけるための穴を持つ径が大きい輪１６ｂを有している。
【００４０】
一般的には、８の字金具１６の径が小さい方の輪１６ａは、ワッシャー１９と上側フープ１３ａの穴１５ａを通り、８の字金具１６の径が大きい方の輪１６ｂは、上側フープ１３ａの穴１５ａを貫通しない大きさに形成される。但し、仮に、８の字金具１６の径が大きい方の輪１６ｂが上側フープ１３ａの穴１５ａを通る径のものであっても、ワッシャー１９を通らない径のものであれば利用可能である。なぜなら、ワッシャー１９によって、上側フープ１３ａの穴１５ａを通ることを阻止できるからである。
なお、ワッシャー１９は、８の字金具１６を回転した時に、８の字金具１６が上側フープ１３ａの穴１５ａを削って広げないようにする機能も有している。
【００４１】
次に、８の字金具１６の径が小さい方の輪１６ａにテンションロープ１４を通した状態で、上側フープ１３ａの穴１５ａに挿入する。なお、８の字金具１６の小さい方の輪１６ａを上側フープ１３ａの穴１５ａに挿入した後に、テンションロープ１４を８の字金具１６の小さい方の輪１６ａの穴に通すことも可能であるが、この方法ではテンションロープ１４を８の字金具１６の輪１６ａを通した後に上側フープ１３ａの穴１５ａに挿入する方法と比べると、作業がしにくくなるという問題もある。
【００４２】
このように、８の字金具１６の小さい方の輪１６ａのみが上側フープ１３ａの穴１５ａを貫通するようにして、８の字金具１６の大きい方の輪１６ｂは、ワッシャー１９を介して上側フープ１３ａの穴１５ａの箇所に固定される。なお、図５で後述することになるが、８の字金具１６の大きい方の輪１６ｂは、テンションロープ１４をねじるために必要になる。つまり、Ｓ字フック２０を８の字金具１６の大きい方の輪１６ｂにひっかけて回転することで、テンションロープ１４に張力が与えられる。
【００４３】
ここで、Ｓ字フック２０によって８の字金具１６を回転するときに、８の字金具１６のくぼみ部（小さい輪１６ａと大きい輪１６ｂの接続部）が上側フープ１３ａの穴１５ａに接触しないサイズとすることが重要である。つまり、くぼみ部のサイズは、８の字金具１６の小さい輪１６ａの外径より小さいサイズとする必要がある。
【００４４】
また、Ｓ字フック２０に外力をかけて８の字金具１６を回転するときに、８の字金具１６の大きい方の輪１６ｂが上側フープ１３ａと接触しない大きさにすることも重要である。なぜなら、Ｓ字フック２０によって８の字金具１６を回転する度に、Ｓ字フック２０あるいは８の字金具１６の大きい輪１６ｂが上側フープ１３ａに接触すると、８の字金具１６の回転作業がしにくくなるからである。
なお、テンションロープ１４の強度を高めるためには、テンションロープ１４が通る８の字金具１６の輪１６ａの穴はなるべく大きい方がよい。試作品では、穴径約3.5mm、テンションロープ径約3.0mmとしている。
【００４５】
図２に戻って説明すると、８の字金具１６の小さい輪１６ａを通したテンションロープ１４は、再びチューブ２１を通って、下側フープ１３ｂを通過する。この手順は、上下のフープ１３ａ、１３ｂの全ての穴１５ａ、１５ｂに対して行う。
【００４６】
図３は、テンションロープ１４によって接続された上側フープ１３ａと下側フープ１３ｂの間に、ドラムヘッド１２ａ、１２ｂ、及びシェル１１を配置する手順の例を示したものである。
まず、下側ドラムヘッド１２ｂを下側フープ１３ｂ上に載置する（１）。次に、上下の補強金具１７ａ、１７ｂで円筒形状に固定されたシェル１１を、上側フープ１３ａの開口部を通して、下側フープ１３ｂ上に載置する（２）。次に、上側ドラムヘッド１２ａをテンションロープ１４の間をくぐらせてシェル１１の上部に配置し、シェル１１、上側フープ１３ａ、下側フープ１３ｂ、ドラムヘッド１２ａ、１２ｂを結合して、ドラム１０の形状に組み立てる（３）。そして最後に、下側フープ１３ｂの穴１５ｂから外部に出ているテンションロープ１４を引いて、ドラム１０の形状を維持した状態で、上下を反転する。
【００４７】
図４は、上記のように形成したドラム１０の上下を反転した図である。すなわち、図４では、テンションロープ１４が、下側フープ１３ｂ（図４では上側）の穴１５ｂから外部に引き出された状態になっている。この状態で、テンションロープ１４を下側フープ１３ｂに一回り以上巻き付けてから、きつく縛るようにする。テンションロープ１４は、ドラム１０を分解したり、組み立てを行ったりするときのために、所定の長さを保持する必要がある。そのため、長さに余裕を持たせて、テンションロープ１４を下側フープ１３ｂに一回り以上巻き付けるようにする。
【００４８】
図４に示す状態は、ドラムの形状は維持されているものの、テンションロープ１４には張力は殆どかかっていない状況である。図４の状態からテンションロープ１４を下側フープ１３ｂに一回り以上巻き付けてからきつく縛り、上下を反転させると、図５Ａに示す状態になる。
【００４９】
次に、図５Ａ〜Ｃを参照して、テンションロープ１４に張力を加えてドラム１０を完成させる手順を説明する。図５Ａに示すように、テンションロープ１４は、８の字金具１６の小さい方の輪１６ａを通ってチューブ２１を往復で通過した状態に維持されている。図示されていないが、テンションロープ１４は下側フープ１３ｂに巻き付けられているため、下側フープ１３ｂに固定されていると考えてよい。
この状態で、図５Ａに示すように、８の字金具１６の大きい方の輪１６ｂに、Ｓ字フック２０をかけてＳ字フック２０を矢印の方向に回転する。そして、図５Ｂに示すように、テンションロープ１４にねじれを加える。このＳ字フック２０による８の字金具１６の回転は、上側フープ１３ａに取り付けた全ての８の字金具１６に対して均等に行うことが重要である。
【００５０】
Ｓ字フック２０を使って、テンションロープ１４に張力を与える場合、最初は親指と人差し指でＳ字フック２０を回転させ、それに伴って８の字金具１６を回転させる。テンションロープ１４がねじられてある程度の張力が与えられ、人手で回転が難しくなった場合には、ドラムのスティック等の棒状の道具を用いて、さらに大きい張力を与えるようにする。このときＳ字フック２０は、回転しても上側フープ１３ａに接触しない程度の線径とすることが好ましい。
【００５１】
また、８の字金具１６は、薄い金属板形状であるため、テンションロープ１４を通すための穴を有する輪１６ａと、ドラムヘッド１２の金属部との隙間が、８の字金具１６の回転角により変化する。このため、図５Ｂに示すように、テンションロープ１４をねじって張力を与えた段階で、予めテンションロープ１４を通しておいたチューブ２１を矢印方向に上昇させる。そして、８の字金具１６と上側ドラムヘッド１２ａとの隙間が広い時にチューブ２１を挿入する。これにより、８の字金具１６の小さい輪１６ａと上側ドラムヘッド１２ａの金属部との隙間がチューブ２１により埋まった状態になる。しかし、このままに放置すると、テンションロープの復元力でねじれがほどかれる恐れがあるので、さらに図５Ｃに示すように、８の字金具８を少し回転させて、テンションロープ１４の復元力が作動しないように、つまり逆回転しないようにしっかりと固定する。このテンションロープ１４へのテンション付加作業を、上側フープ１３ａの全ての穴１５ａの箇所で均等に行い、ドラム１０を形成する。
【００５２】
以上説明したように、チューブ２１の厚さは、８の字金具１６と上側ドラムヘッド１２ａの金属部との隙間を埋められるだけの厚さが必要であり、既に述べたように、試作品では、チューブ２１の外形12.0mm、内径6.0mm、つまり厚さを3.mm厚としている。但し、複数のドラムの上側ドラムヘッド１２ａはそれぞれの金属部のサイズが異なるので、８の字金具１６と上側ドラムヘッド１２ａの金属部との隙間が広くなる場合がある。そのような場合には、チューブ２１に、図４の拡大図に示すような結束バンド２２を巻き付けて、チューブ２１の厚みを増すように補強する。なお、この結束バンド２２はあくまでも一例であり、８の字金具１６と上側フープ１３ａの金属部との隙間が埋まって、テンションロープ１４が逆回転しないように固定されるならば、他のどのような手段を用いてもよい。
なお、チューブ２１は、テンションロープ１４に強い張力を与えるために必要であるが、仮にチューブ２１を設けなくても、ドラムヘッド１２ａ、１２ｂ間に必要な張力がテンションロープ１４に維持されるならば、チューブ２１を省くこともできる。
【００５３】
以上、図５Ａ〜Ｃに説明したように、８の字金具１６を挿入しない下側フープ１３ｂには、余ったテンションロープ１４が１回以上巻き付けられて固定される。このように、比較的長いテンションロープ１４を用いることにより、テンションロープ１４を緩めたときに、上下２個のフープ１３ａ、１３ｂがテンションロープ１４でつながった状態のまま、上下２個のフープ１３ａ、１３ｂを大きく開くことができる。そして、上下のフープ１３ａ、１３ｂを話した状態で、ドラムヘッド１２やシェル１１の組立と分解（ばらし）が可能になる。
【００５４】
＜変形例＞
なお、上側フープ１３ａと下側フープ１３ｂ間における、テンションロープ１４の張り方は、図１〜図５に示すように、テンションロープ１４を２本合わせてより糸状にする方法が一般的であるが、本発明はこれに限定されない。変形例として図６のように、シェル１１の外部にジグザグ状になる配置にしてテンションロープ１４に張力を与えるようにしてもよい。ジグザグ配置の方がテンションロープ１４の全長は短くなり、また、チューニング時にねじる回数も少なくてすむが、ねじる量が場所によって異なるため、見た目は余り美しく感じられないという欠点もある。
【００５５】
＜ドラムの分解工程の手順＞
次に、組み立てたドラム１０をケースに入れて持ち運ぶために分解する（ばらす）手順について説明する。ドラムを分解する工程は、組み立て工程を逆に進めることで可能になる。すなわち、図５Ｃの状態から、８の字金具１６を動かして、８の字金具１６と上側フープ１３ａの金属部との間に隙間を作る。そのご、図５Ｂの矢印と反対の方向に、人手によりチューブ２１を移動する。そして、テンションロープ１４のねじれをとり、図５Ａの状態に戻す。
【００５６】
そして、図４のように、ドラム１０の上下を反転させて、テンションロープ１４の結び目をとき、テンションロープ１４を緩めて、上下のフープ１３ａ、１３ｂと上下のドラムヘッド１２ａ、１２ｂを、シェル１１からはずす。最後にシェル１１から補強金具１７ａ、１７ｂを外して分解が終了する。このとき、テンションロープ１４は、８の字金具１６、チューブ２１、ワッシャー１９が接続された状態のまま、しかも、上下のフープ１３ａ、１３ｂの穴１５ａ、１５ｂを通ったままの状態になっている。
【００５７】
＜ドラムセットの構成及び運搬方法＞
次に、複数のドラムから構成されるドラムセットを分解して運搬する方法について説明する。
既に説明したように、ドラムセットには、バスドラム、フロアタム、スネアドラム、トムトムなど多くのドラムが含まれるため、これらを一人の人間が人力で運搬することは容易ではない。
【００５８】
図７は、分解された状態の複数のシェル１１とフープ１３ａ、１３ｂを示している。図７には示されてはいないが、ドラム１０をばらした中には、ドラムヘッド１２ａ、１２ｂや補強金具１７ａ、１７ｂも含まれる。
本例のドラム１０及びドラムセットでは、シェル１１として、プラダンを使用しているため、シェル１１に曲げ加工を多く施すことにより、ドラムヘッド１２を取り付けない状態であれば、シェル１１から補強金具１７ａ、１７ｂを取り外すことで、図７の左上に示すように複数のシェル１１を折り畳むことが可能になる。
【００５９】
本例の場合、ドラムセットを構成する複数のドラムの直径と高さは、その種類によって異なるため、小さい直径のシェル１１の外側にそれより直径の大きいシェル１１を配置することで、図７に示すように、複数のドラム１０のシェル１１ａ〜１１ｄを極めてコンパクトに収納することが可能となる。同様に、複数の異なる径を有するフープ１３ａ、１３ｂもコンパクトにまとめてケース内に収納することができる。
【００６０】
図７には、カホンケースと呼ばれるケース３０ａとスネアケースと呼ばれるケース３０ｂが示されている。そして、これら２つのケース３０ａ、３０ｂ内に収納する、ドラムセットを構成する各ドラムの複数のシェル１１ａ〜１１ｄ、及び複数のフープ１３ａ、１３ｂが示されている。左側の大きなカホンケース３０ａには、図７に示す折り畳んだシェル１１ａ〜１１ｄが収納される。その他にも、不図示の各種スタンド全て(ハイハットスタンド、２個のシンバルスタンド、イスのスタンド部)、バスドラムペダル、バスドラムリフター、２個のバスドラムレッグ、３個のフロアタムレッグ、２個のタムマウントホルダーが収納される。
【００６１】
また、右側の丸いスネアケース３０ｂには、図７に示す複数のドラムのフープ１３ａ〜１３ｂが上下２組、収納される他、その付属品であるテンションロープ１４、８の字金具１６、補強金具１７の全て、ドラムヘッド１２ａ、１２ｂの全て、及び不図示のシンバルやイスの座面などが収納される。
【００６２】
上述したように、本例のドラムセットをカホンケース２０ａとスネアケース２０ｂに収納すると、総重量は概ね９〜１０ｋｇ程度になり、先行技術として記載した特許文献１で提案したドラムセット（総重量１２ｋｇ）と比べて、約１７〜２５％軽量化することができる。
【００６３】
図８は、ドラムセットを収納したカホンケース３０ａを人が背負い、スネアケース３０ｂを人が手で持って持ち運ぶ様子を示したものである。図８に示すように、本例のドラムセットであれば、男女を問わず、通常の大人が一人で運搬することが可能になる。
【００６４】
以上、本発明を実施する実施形態例について説明したが、本発明は、本明細書で説明した実施例に限定されるものではなく、特許請求の範囲に記載された本発明の要旨を逸脱しない限りにおいて、種々の応用例及び変形例を含むことは勿論である。
【符号の説明】
【００６５】
１０、５０…ドラム、
１１、１１ａ、１１ｂ、１１ｃ、１１ｄ、５１…シェル、
１２、１２ａ、１２ｂ、５２…ドラムヘッド、
１３、１３ａ、１３ｂ、５３…フープ（リム）、
１４…テンションロープ、
１５、１５ａ、１５ｂ…フープの穴、
１６…８の字金具（８の字型の形状をした金具）、
１６ａ…８の字金具の小さい方の輪、１６ｂ…８の字金具の大きい方の輪、
１７、１７ａ、１７ｂ…補強金具、
１８、５６…エアホール（シェルに設けた穴）、
１９…ワッシャー、
２０…Ｓ字フック、
２１…チューブ（肉厚の）、２２…結束バンド、
３０ａ…カホンケース、３０ｂ…スネアケース
５４…テンションボルト、５５…ボルト受け金具（舟形のラグ）
【図１】
2020177099.tif 000003
【図２】
2020177099.tif 000004
【図３】
2020177099.tif 000005
【図４】
2020177099.tif 000006
【図５】
2020177099.tif 000007
【図６】
2020177099.tif 000008
【図７】
2020177099.tif 000009
【図８】
2020177099.tif 000010
【図９】
2020177099.tif 000011